(57)【要約】【課題】部品点数を増やさずに、圧力逃し弁の位置決めさせることを可能とした構成備えた貯湯式給湯機を提供すること。【解決手段】本発明の貯湯式給湯機は、湯水を貯める貯湯タンク１と、貯湯タンク１の上部へ接続された圧力逃し弁管２と、圧力逃し弁管２に接続された圧力逃し弁３と、圧力逃し弁３の両側面に設けた壁状突起７と、貯湯タンク１の周囲を覆う断熱材６ａとを備え、壁状突起７と断熱材６ａとを一体的に構成し、新たな部品を設けることなく圧力逃し弁の位置決め固定することができる。【選択図】図２
2010230190.tif 000002
【特許請求の範囲】
【請求項１】
湯水を貯める貯湯タンクと、前記貯湯タンクの上部へ接続された圧力逃し弁管と、前記圧力逃し弁管に接続された圧力逃し弁と、前記圧力逃し弁の両側面に設けた壁状突起と、前記貯湯タンクの周囲を覆う断熱材とを備え、前記壁状突起と前記断熱材とを一体的に構成したことを特徴とする貯湯式給湯機。
【請求項２】
湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された排水管とを備え、前記断熱材の一部に前記排水管を埋設させる溝形状を設けたことを特徴とする貯湯式給湯機。
【請求項３】
湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された吸気管とを備え、前記断熱材の一部に前記吸気管を埋設させる溝形状を設けたことを特徴とする貯湯式給湯機。
【発明の詳細な説明】
【技術分野】
【０００１】
本発明は、圧力逃し弁が接続された貯湯タンクを有する貯湯式給湯機に関するものである。
【背景技術】
【０００２】
従来の貯湯式給湯機において、貯湯タンクに接続された圧力逃し弁は、接続された各パイプのみ、または他の固定金具によって位置決めされていた（例えば、特許文献１参照）。
【０００３】
図５は、特許文献１に記載された従来の貯湯式給湯機における圧力逃し弁の構成を示すものである。図５に示す圧力逃し弁が貯湯タンクの上部に接続されており、一般的な圧力逃し弁の構成として、貯湯タンクから膨張した膨張水を排水する排水管や、貯湯タンク内部が負圧になったときに空気を吸い込むための吸気管を備えているものがある。
【特許文献１】特開２００６−１０５５３０号公報
【発明の開示】
【発明が解決しようとする課題】
【０００４】
しかしながら、前記従来の構成では、圧力逃し弁の外殻が金具などで固定されていない場合、圧力逃し弁後方から接続された圧力逃し弁の軸を中心に圧力逃し弁が回り、圧力逃し弁についている操作レバーの向きが回転して操作に支障をきたしたり、また、圧力逃し弁の位置を固定するために固定金具などを用いて固定しても、固定金具などの部品点数が増えてしまうという課題を有していた。
【０００５】
本発明は、前記従来の課題を解決するもので、部品点数を増やさずに、圧力逃し弁の位置決めさせることを可能とした構成備えた貯湯式給湯機を提供することを目的とする。
【課題を解決するための手段】
【０００６】
前記従来の課題を解決するために、本発明の貯湯式給湯機は、湯水を貯める貯湯タンクと、前記貯湯タンクの上部へ接続された圧力逃し弁管と、前記圧力逃し弁管に接続された圧力逃し弁と、前記圧力逃し弁の両側面に設けた壁状突起と、前記貯湯タンクの周囲を覆う断熱材とを備え、前記壁状突起と前記断熱材とを一体的に構成したことにより、新たな部品を設けることなく圧力逃し弁の位置決め固定することができる。
【０００７】
また、前記従来の課題を解決するために、本発明の貯湯式給湯機は、湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された排水管とを備え、前記断熱材の一部に前記排水管を埋設させる溝形状を設けたことにより、新たな部品を設けることなく圧力逃し弁の位置決め固定することができる。
【０００８】
また、前記従来の課題を解決するために、本発明の貯湯式給湯機は、湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された吸気管とを備え、前記断熱材の一部に前記吸気管を埋設させる溝形状を設けたことにより、新たな部品を設けることなく圧力逃し弁の位置決め固定することができる。
【発明の効果】
【０００９】
本発明の貯湯式給湯機は、部品点数を増やさずに、圧力逃し弁の位置決めさせることを
可能とした構成備えた貯湯式給湯機を提供することができる。
【発明を実施するための最良の形態】
【００１０】
第１の発明の貯湯式給湯機は、湯水を貯める貯湯タンクと、前記貯湯タンクの上部へ接続された圧力逃し弁管と、前記圧力逃し弁管に接続された圧力逃し弁と、前記圧力逃し弁の両側面に設けた壁状突起と、前記貯湯タンクの周囲を覆う断熱材とを備え、前記壁状突起と前記断熱材とを一体的に構成したことにより、新たな部品を設けることなく圧力逃し弁の位置決め固定することができる。
【００１１】
第２の発明の貯湯式給湯機は、湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された排水管とを備え、前記断熱材の一部に前記排水管を埋設させる溝形状を設けたことにより、新たな部品を設けることなく圧力逃し弁の位置決め固定することができる。
【００１２】
第３の発明の貯湯式給湯機は、湯水を貯める貯湯タンクと、前記貯湯タンクの上部へ接続された圧力逃し弁管と、前記圧力逃し弁管に接続された圧力逃し弁と、前記貯湯タンクの周囲を覆う断熱材と、前記圧力逃し弁に接続された吸気管とを備え、前記断熱材の一部に前記吸気管を埋設させる溝形状を設けたことにより、新たな部品を設けることなく圧力逃し弁の位置決め固定することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における貯湯タンクの構成を示す構成図であり、図２は要部拡大図である。図１、図２において、湯水を貯める貯湯タンク１の上部には、圧力逃し弁管２が接続され、圧力逃し弁管２の一端に圧力逃し弁３が接続されている。圧力逃し弁３と圧力逃し弁管２の接続はＯリングによる円筒シールで水密を保たれ、その固定はファスナ４によって管が外れないよう抜け止め構成となっている。そして圧力逃し弁３には貯湯タンク１内の温水が膨張した時に外部へ排水するための膨張水排出管５が接続されている。一方、貯湯タンク１の前後を発泡断熱材６ａおよび断熱材６ｂで覆っている。なお断熱材６ｂは発泡断熱材に限定されることはなく、例えば真空断熱材のような断熱材を使用してもよい。
【００１５】
このように、本実施の形態の貯湯式給湯機では、貯湯タンク１に貯めた水を熱源で加熱する際、水の膨張で体積が増し、圧力が上昇するためタンク内圧力を調整する為、圧力逃し弁３が設けられており、所定の圧力を超えると膨張水排出管５から圧力を逃がす構成となっている。
【００１６】
また、図２に示すように、本実施の形態では貯湯タンク１を覆う形で配置された断熱材６ａには、圧力逃し弁３の外殻側面にそった壁状突起７が設けられている。つまり断熱材６ａの一部を切り欠いて圧力逃し弁３を収めるスペースを作り、そのスペースに圧力逃し弁３が収めて配置することで、圧力逃し弁３の側面が壁状突起７によって左右にぶれることがなくなる。
【００１７】
以上のように、本実施の形態では、発泡断熱材６ａに設けられた壁状突起７は、圧力逃し弁３が圧力逃し弁管２を中心に回転するのを規制するように配置されており、この構成により、圧力逃し弁３は回転することなく位置決めがなされることができる。
【００１８】
（実施の形態２）
実施の形態２において、貯湯タンクの構成は実施の形態１と同じであり、図１を用いて説明する。また、図３は本実施の形態における要部拡大図である。
【００１９】
図３に示すように、実施の形態２では、実施の形態１に示した壁状突起７の代わりに、膨張水排出管５が埋まるような溝８を断熱材６ａに設けている。この溝８は膨張水排出管５の根元を抱える位置にある。
【００２０】
以上のような構成により、膨張水排出管５を、断熱材６ａの溝８が抱えることになる。よって断熱材６が膨張水排出管５に接続された圧力逃し弁３を間接的に支えることになり、圧力逃し弁３は位置決めが可能となる。
【００２１】
また、実施の形態２のような形状であれば、実施の形態１では固定が不可能な、圧力逃し弁３の形状が円筒形の場合でも対応可能である。
【００２２】
（実施の形態３）
実施の形態３において、貯湯タンクの構成は実施の形態１、２と同じであり、図１を用いて説明する。また、図４は本実施の形態における要部拡大図である。
【００２３】
図４に示すように、実施の形態３では圧力逃し弁３に膨張水排出管５のほかに負圧破壊弁用の吸気管１０が接続されている。この吸気管１０は貯湯タンク１内が負圧になったときに吸気管１０から空気を吸い込んで、貯湯タンク１の変形を防止するものである。
【００２４】
また、断熱材６には第２の実施の形態の膨張水排出管５用の溝８の代わりに、吸気管１０が埋まるような溝９を断熱材６に設けている。この溝９は吸気管１０の根元を抱える位置にある。
【００２５】
以上のような構成により、吸気管１０を、断熱材６の溝９が抱えることになる。よって断熱材６が吸気管１０に接続された圧力逃し弁３を間接的に支えることになり、圧力逃し弁３は位置決めが可能となる。
【産業上の利用可能性】
【００２６】
以上のように、本発明は、ヒートポンプ式給湯機や電気温水器など貯湯タンクを有する貯湯式給湯機に利用することができる。
【図面の簡単な説明】
【００２７】
【図１】本発明の実施の形態１における貯湯式給湯機の構成図
【図２】本発明の実施の形態１における要部拡大図
【図３】本発明の実施の形態２における要部拡大図
【図４】本発明の実施の形態３における要部拡大図
【図５】従来の圧力逃し弁の構成図
【符号の説明】
【００２８】
１  貯湯タンク
２  圧力逃し弁管
３  圧力逃し弁
５  膨張水排出管
６ａ、６ｂ  断熱材
７  壁状突起
８  溝
９  溝
【図１】
2010230190.tif 000003
【図２】
2010230190.tif 000004
【図３】
2010230190.tif 000005
【図４】
2010230190.tif 000006
【図５】
2010230190.tif 000007